(57)【要約】【課題】椅子に座った状態で遊技場の床面に落としたメダルを容易に回収する。【解決手段】島設備１１の下部であって、遊技場の床面１０ａに連なるように回収口４５を設ける。そして島設備１１にメダル送り出し装置５６、メダル揚送装置５７からなる搬送装置５５を設ける。遊技場の床面１０ａに落としたメダル４２を回収口４５に蹴り込むことによって、メダル４２が搬送装置５５によって搬送され、ケース８３に設けられたノズル１１０を介してスロットマシン１２のメダル受け皿３５に排出される。【選択図】図２
2007195672.tif 000002
【特許請求の範囲】
【請求項１】
払い出される遊技媒体を受容する受け皿が設けられた遊技機が配設される遊技場の島設備であって、
前記遊技機の受け皿よりも下方に設けられた回収口と、
前記回収口に受け入れられた遊技媒体を、前記遊技機の受け皿へと搬送する搬送装置とを備え、
前記搬送装置は、
前記遊技媒体を、前記回収口が設けられた高さから前記遊技機の受け皿よりも高い位置まで揚送させる揚送部と、
前記回収口に受け入れられた遊技媒体を、前記揚送部に向けて送り込む送り込み部とから構成されることを特徴とする遊技場の島設備。
【請求項２】
前記回収口は、前記島設備の下端部であって、且つ前記島設備の前面と前記遊技場の床面との稜線に連なって設けられていることを特徴とする請求項１記載の遊技場の島設備。
【発明の詳細な説明】
【技術分野】
【０００１】
本発明は、スロットマシンやパチンコ機等の遊技機が複数配設される遊技場の島設備に関するものである。
【背景技術】
【０００２】
一般に、パチンコ店などの遊技場では、島設備と呼ばれる遊技機の集合用設備によって、複数の遊技機が整列して効率良く配設されている。この遊技場に配設される遊技機としては、パチンコ機や、スロットマシンが知られている。遊技場は、上述した複数の島設備によって区画され、遊技者や従業員が歩行でき、遊技者が遊技を行うのに十分な空間が確保されている。この島設備には、上述した遊技機の他に、この遊技機に隣接して設置される球貸出機やメダル貸出機や、遊技機の遊技履歴や、遊技機の状態を示す表示装置などが設置されている。また、この他に、設置された遊技機での遊技を座位で行うための椅子が設けられている。これにより、遊技者は、椅子に座って遊技を行うことで、楽な姿勢で遊技を行うことが可能となる。
【０００３】
一方、スロットマシンは、筐体の前面にリールの周面を露呈する表示窓や、遊技の際に操作される遊技媒体であるメダルを投入するメダル投入口や、ＭＡＸベットボタン、スタートレバー、ストップボタン等の操作部材が設けられる他に、上述したメダル貸出機からのメダルや、遊技を行って入賞を得た場合に払い出されるメダルを受容する受け皿が設けられている。例えばメダル投入口や、上述した操作部材などは、メダル投入動作や、遊技中の操作が頻繁に行われることから、遊技者が椅子に座ったときに、メダル投入動作や、遊技中の操作が行いやすい位置に配置されている。
【特許文献１】特開平０９−２２０３４８号公報
【発明の開示】
【発明が解決しようとする課題】
【０００４】
一方、上述した受け皿は、スロットマシンの構成上、筐体の下部に設けられているものが一般的である。このため、例えば受け皿に受容されたメダルを用いた投入動作、或いは、遊技終了後に遊技場に予め設けられたドル箱と呼ばれる収納箱に移し替える際に、遊技場の床面に落としてしまうことがあり、この場合、遊技場の床に落としたメダルは、遊技者が前屈位となるように体を折り曲げて拾う、或いは一度椅子から立ち上がった後に拾わなければならない。遊技場の島設備の場合、遊技機と遊技機とが近接して配設されている場合が多いので、メダルを遊技場の床に落とした場合、遊技者は上述した動作を行いにくいという問題がある。
【０００５】
本発明は、上記従来技術の問題を解決するためになされたものであり、遊技者が椅子に座った状態で、遊技場の床面に落としたメダルを容易に回収できるようにした遊技場の島設備を提供することを目的とする。
【課題を解決するための手段】
【０００６】
本発明の遊技場の島設備は、払い出される遊技媒体を受容する受け皿が設けられた遊技機が配設される遊技場の島設備であって、前記遊技機の受け皿よりも下方に設けられた回収口と、前記回収口に受け入れられた遊技媒体を、前記遊技機の受け皿へと搬送する搬送装置とを備え、前記搬送装置は、前記遊技媒体を、前記回収口が設けられた高さから前記遊技機の受け皿よりも高い位置まで揚送させる揚送部と、前記回収口に受け入れられた遊技媒体を、前記揚送部に向けて送り込む送り込み部から構成されることを特徴とする。
【０００７】
また、前記回収口は、前記島設備の下端部であって、且つ前記島設備の前面と前記遊技場の床面との稜線に連なって設けられていることを特徴とする。
【発明の効果】
【０００８】
本発明の遊技場の島設備は、払い出される遊技媒体を受容する受け皿が設けられた遊技機が配設される遊技場の島設備であって、前記遊技機の受け皿よりも下方に設けられた回収口と、前記回収口に受け入れられた遊技媒体を、前記遊技機の受け皿へと搬送する搬送装置とを備え、前記搬送装置は、前記遊技媒体を、前記回収口が設けられた高さから前記遊技機の受け皿よりも高い位置まで揚送させる揚送部と、前記回収口に受け入れられた遊技媒体を、前記揚送部に向けて送り込む送り込み部から構成されるので、遊技媒体を遊技場の床に落とした場合には、遊技者は床に落ちた遊技媒体を、例えば椅子に座ったまま足で回収口に向けて蹴り込む、或いは遊技者が前屈位の状態で回収口に遊技媒体を投げ入れるだけで、容易に床に落とした遊技媒体を遊技機の受け皿へと回収することができる。
【０００９】
また、回収口は、前記島設備の下端部であって、且つ前記島設備の前面と前記遊技場の床面との稜線に連なって設けられているから、遊技媒体を遊技場の床に落とした場合には、遊技者は床に落ちた遊技媒体を、例えば椅子に座ったまま足で回収口に向けて蹴り込むだけで、容易に遊技媒体を遊技機の受け皿へと回収することができる。
【発明を実施するための最良の形態】
【００１０】
図１に示すように、遊技場１０には島設備１１が複数設けられることによって、遊技場１０のフロアが区画されている。これら島設備１１の間には、遊技者や遊技場１０の従業員が歩行でき、且つ遊技者が遊技を行うのに充分な空間が確保されている。この島設備１１には、例えば１０台のスロットマシン（遊技機）１２が設置されている。各スロットマシン１２は、正面を向いた状態で横一列に並べられた状態となっている。各スロットマシン１２には、例えば台番号Ａ〜Ｊが付与されており、この台番号Ａ〜Ｊによって各々のスロットマシン１２が個別に識別される。この島設備１１では、例えば台番号Ｅのスロットマシン１２と、台番号Ｆのスロットマシン１２とが仕切壁１１ａによって仕切られている。
【００１１】
図２は、島設備１１に設置されるスロットマシン１２の近傍を示す斜視図である。上述したように、スロットマシン１２は遊技場１０の島設備１１に設置されている。このスロットマシンは、前面扉２０を備えている。この前面扉２０は、上部扉２１と下部扉２２との２枚の扉から構成されている。例えば、上部扉２１には、スロットマシン１２の内部に組み付けられたリール２３〜２５の図柄を表示する表示窓２６が設けられる他、遊技の際の演出表示や、デモンストレーション表示が行われる、例えば液晶表示装置などの表示装置２７が設けられている。
【００１２】
一方、下部扉２２は、メダル（遊技媒体）４２を投入するためのメダル投入口２８が設けられている。このメダル投入口２８の側部には、投入されたメダル４２を３枚使用して遊技を行う際に操作されるＭＡＸベットボタン２９が設けられている。この他に、遊技の開始の際に操作されるスタートレバー３０や、スタートレバー３０を操作することで回転するリールを停止させるストップボタン３１〜３３が設けられている。この下部扉２２の下部には、遊技を行って入賞を得たときに払い出されるメダル４２を受容するメダル受け皿３５が設けられている。なお、符号３６は払い出し口であり、この払い出し口３６を介してメダル４２がメダル受け皿３５に払い出される。
【００１３】
なお、島設備１１には、スロットマシン１２の側方に、メダル貸出機４０が設けられる他、スロットマシン１２の上方に、例えば遊技履歴や、遊技状態を表示する表示装置４１が設けられている。なお、これら装置は、周知であるので、その説明は省略する。
【００１４】
このスロットマシン１２が設置される島設備１１の前面１１ｂの下端縁には回収口４５が設けられている。なお、この回収口４５は、島設備１１の前面１１ｂと遊技場１０の床面１０ａとの稜線４６に連なって設けられている。この回収口４５は、例えばメダル貸出機４０から貸し出されたメダル４２をスロットマシン１２のメダル受け皿３５に移し替えるとき、或いはメダル受け皿３５に貯留されたメダル４２を掴んだときに、誤って遊技場１０の床面１０ａに落としたメダル４２を回収するために設けられている。メダル受け皿３５に貯留されたメダル４２を掴む場合としては、例えばメダル受け皿３５に受容されたメダル４２を遊技場に用意されている収納箱に移し替える場合、又はメダル受け皿３５に受容されたメダル４２をメダル投入口２８に投入する場合が挙げられる。遊技場１０の床面１０ａに落としたメダル４２は、つま先等で蹴って回収口４５に送り込むことで、後述する搬送装置５５によって、メダル受け皿３５へ搬送される。
【００１５】
図３に示すように、島設備１１の内部であって、その前面１１ｂに設けられた回収口４５に連なる底面１１ｃは、回収口４５からメダル送り出し装置５６に向けて下り傾斜する傾斜面（以下、傾斜面１１ｃと称する）から構成されている。この傾斜面１１ｃの下流側には、ロータリーディスク６０が収納されるディスク収納部１１ｄが設けられている。このディスク収納部１１ｄは、傾斜面１１ｃの下流側に設けられることにより、遊技場１０の床面１０ａよりも下方に位置している。この傾斜面１１ｃと、ディスク収納部１１ｄとを囲うように、略Ｕ字形状の飛び出し防止片５０が突設されている。
【００１６】
図３ないし図５に示すように、搬送装置５５は、メダル送り出し装置（送り出し部）５６、メダル揚送装置（揚送部）５７とから構成されている。メダル送り出し装置５６は、ロータリーディスク６０と、駆動装置６１とから構成されている。このロータリーディスク６０は、円盤形状から構成されており、ディスク収納部１１ｄに収納される。このロータリーディスク６０には、回収口４５からのメダル４２を受け入れる受け入れ口６２が複数、ロータリーディスク６０の周方向に沿って設けられている。これらメダル受け口６２は、その中心と、隣り合う受け入れ口６２の中心とがそれぞれ同一の角度となるように配置されている。このロータリーディスク６０の下面には、受け入れ口６２からロータリーディスク６０の外周面６０ａに向けて延びた通路６３が設けられている。この通路６３は、メダル４２の直径よりも広い溝から構成されている。
【００１７】
例えばロータリーディスク６０の受け入れ口６２にメダル４２が受け入れられると、ロータリーディスク６０の回転により、受け入れ口６２に受け入れられたメダル４２には遠心力が加わるので、この遠心力によってメダル４２が通路６３の内部をロータリーディスク６０の外周方向に向けて移動する。そして、通路６３の一端が導入口６５と連通したときに、メダル４２が導入口６５から通路６６の内部に送り出される。この通路６６の内部に送り出されたメダル４２は、メダル揚送装置５７へと移動する。
【００１８】
駆動装置６１は、駆動モータ６８及びギアボックス６９から構成されている。駆動モータ６８は、ロータリーディスク６０を回転させる際に駆動する。ギアボックス６９は、駆動モータ６８の駆動力をロータリーディスク６０に伝達するために設けられている。このギアボックス６９の回転軸６９ａは、ディスク収納部１１ｄから突出しており、この回転軸６９ａには、ロータリーディスク６０が組み付けられる。なお、符号７０はドライバであり、制御装置７１からの駆動信号を受けて、駆動モータ６８への給電を行う。なお、ロータリーディスク６０を回転させる方向は、時計方向、或いは反時計方向のいずれであってもよい。また、メダル送り出し装置５６としては、上述した構成に限定する必要はなく、例えばベルトを用いた送り出し装置としてもよい。
【００１９】
回収検知センサ７２は、島設備１１の内部であって、回収口４５の近傍に設けられている。この回収検知センサ７２は、例えば反射型の光センサなどが用いられ、回収口４５から受け入れられたメダル４２を検知し、その検知信号を制御装置７１に出力する。この検知信号の出力を受けて、制御装置７１は、後述する第１フォトインタラプタ８１からの検知信号が出力されているか否かを判定し、その検知信号が出力されていると判定された場合に、駆動モータ６８へ給電を行う。
【００２０】
通過検知センサ７３は、ロータリーディスク６０から通路６６に送り出されたメダル４２を検知するために設けられている。例えば、ロータリーディスク６０からはメダル４２が１枚ずつ通路６６に送り出されるから、メダル４２が検知されてから次のメダル４２が検知されるまでの時間（以下、基準時間）は一定の時間となる。制御装置７１は、１枚のメダルが検知されてから基準時間が経過してもメダル４２の検知が行われない場合に、メダル揚送装置５７を駆動させる。
【００２１】
メダル揚送装置５７は、キャリア７５、抑え板７６、メダル押し出し機構７７、ベルト機構７８、ガイド軸７９、駆動モータ８０、第１フォトインタラプタ（以下、第１ＰＩ）８１、第２フォトインタラプタ（以下、第２ＰＩ）８２から構成され、これら部材がケース８３の内部に収納されている。なお、メダル揚送装置の構成は一例を示すものであり、本発明に限定されるものではない。
【００２２】
キャリア７５は、略方形状から構成されている。このキャリア７５は、その上面から下面にかけて切り欠かれ、上面視で略Ｔ字形状の空間８５を備えている。なお、この切り欠かれた空間８５の深さは、キャリア７５の厚みよりも短い深さとなる。この空間８５のうち、幅の広い空間８６は、メダル送り出し装置５６から送り出され、通路６６を通過したメダル４２を収納する空間（以下、メダル収納部と称する）となる。また、幅の狭い空間８７は、後述するソレノイドが組み込まれる空間（以下、ソレノイド収納部と称する）となる。また、このキャリア７５は、上面から下面に貫通する貫通孔８８を備えている。この貫通孔８８は、後述するガイド軸７９が挿通される。
【００２３】
キャリア７５の側方は略方形状に切り欠かれている。この切り欠かれた部分（以下、組み付け部と称する）８９には、抑え板７６が組み付けられる。この組み付け部８９に対面する壁面９０の略中央には、上面から下面に向けて延びる溝９１が設けられている。この溝９１は、後述するベルト１０８を挿入するために設けられている。
【００２４】
インデックス９２は、その断面がＬ字形状から構成されている。このインデックス９２は、キャリア７５の側面７５ａにネジ９４により固定される。このインデックス９２は、第１フォトインタラプタ８１、あるいは第２フォトインタラプタ８２のいずれかによって検知されることで、キャリア７５の位置が検知される。なお、符号９２ａはネジ９４が挿通される挿通孔、符号９３はネジ９４が螺合するネジ穴である。
【００２５】
抑え板７６は、キャリア７５に設けられた溝９１にベルト１０８を挿入した状態で、キャリア７５の組み付け部８９にネジ９５により固定される。これにより、ベルト１０８がキャリア７５と抑え板７６とによって挟持される。なお、符号９６は、ネジ９５が螺合するネジ穴であり、また、符号９７はネジ９５が挿通される挿通孔である。
【００２６】
メダル押し出し機構７７は、ソレノイド１００と、押し出し板１０１とから構成される。ソレノイド１００は、キャリア７５のソレノイド収納部８７に組み付けられる。このソレノイド１００は、駆動鉄芯１０２とボビン１０３とを備えている。この駆動鉄芯１０２の先端には押し出し板１０１が固定される。ソレノイド１００は、給電が行われることにより、駆動鉄芯１０２がボビン１０３の内部に引き込まれる。ソレノイド１００への給電が停止されると、押し出し板１０１と、ボビン１０３との間に組み込まれたバネ１０４の付勢により、押し出し板１０１が図８中Ｇ方向に移動し、駆動鉄芯１０２がボビン１０３から突出する。
【００２７】
押し出し板１０１は、メダル収納部８６に配置される部材である。上述したように、押し出し板８６はソレノイド１００の駆動鉄芯１０２に固定されている。例えばソレノイド１００への給電が行われると、押し出し板１０１の面１０１ａがメダル収納部８６の壁面８６ａ，８６ｂに当接される位置に保持される（図７参照）。このとき通路６６を通過したメダル４２がメダル収納部８６に受容される。以下では、押し出し板１０１がメダル収納部８６の壁面８６ａ，８６ｂに当接される位置にあるときを受入れ位置として説明する。そして、ソレノイド１００への給電が停止されると駆動鉄芯１０２がボビン１０３から引き出されるので、押し出し板１０１が受入れ位置（図７参照）からメダル収納部８６に受容されたメダル４２を押し出す押出位置（図８参照）まで移動する。
【００２８】
ベルト機構７８は、主動側プーリ１０６、従動側プーリ１０７、及びベルト１０８から構成されている。主動側プーリ１０６は、駆動モータ８０の駆動軸に固定されている。また、従動側プーリ１０７は、その回転軸がケース８３に軸支されている。これらプーリ１０６，１０７には、ベルト１０８が巻き掛けられる。
【００２９】
駆動モータ８０は、主動側プーリ１０６を回転させるために設けられている。例えば駆動モータ８０を駆動させ主動側プーリ１０６を図４中Ｂ方向に回転させると、ベルト１０８が図４中Ｃ方向に移動しキャリア７５が上昇する。また、駆動モータ８０を駆動させ主動側プーリ１０６を図４中Ｄ方向に回転させると、ベルト１０８が図４中Ｅ方向に移動しキャリア７５が下降する。なお、符号１０９は駆動モータ８０を駆動制御するドライバである。
【００３０】
第１ＰＩ８１は、キャリア７５がメダル収納部８６にメダル４２を受容する位置（図７参照）まで移動した場合にインデックス９２を検知し、検知信号を制御装置７１に出力する。これを受けて、制御装置７１はドライバ１０９を介して駆動モータ８０への給電を停止する。これにより、キャリア７５が停止される。また、同時にソレノイド１００への給電を行うことにより、押し出し板１０１を受入れ位置まで移動させる。以下では、キャリア７５がメダル４２を受容する位置を受容位置として説明する。
【００３１】
第２ＰＩ８２は、キャリア７５がメダル収納部８６に受容されたメダル４２をケース８３に設けられたノズル１１０の内部の通路１１１へと排出する位置（図８参照）まで移動した場合にインデックス９２を検知し、その検知信号を制御装置７１に出力する。これを受けて、制御装置７１はドライバ１０９を介して駆動モータ８０への給電を停止する。同時に、ソレノイド１００への給電を停止する。これにより、押し出し板１０１がバネ１０４の付勢を受けて押出位置へと移動する。以下では、キャリア７５がメダル４２を排出する位置を排出位置として説明する。
【００３２】
排出検知センサ１１２は、ケース８３に設けられたノズル１１０に設けられている。この排出検知センサ１１２は、メダル押し出し機構７７により押し出され、ノズル１１０に設けられた通路１１１を通過するメダル４２を検知し、その検知信号を制御装置７１に出力する。制御装置７１は、排出検知センサ１１２からメダル４２の検知信号が出力されてから、例えば５秒など所定時間経過しても排出検知センサ１１２からの検知信号が再度出力されない場合に、駆動モータ８０を駆動させ、キャリア７５を受容位置まで移動させる。
【００３３】
次に、本実施形態の作用について図６に示すフローチャートを基に説明する。遊技者が、遊技を行う際にメダル貸出機４０からメダル４２の貸し出しを行い、メダル貸出機４０のメダル受け皿４０ａからメダル４２をスロットマシン１２のメダル受け皿３５に移し替える際や、メダル投入口２８からメダル４２を投入する際に、メダル４２を遊技場１０の床面１０ａに落とす場合がある。この場合、遊技者は、床面１０ａに落ちたメダル４２を足で図２中Ｌ方向に蹴飛ばし、メダル４２を回収口４５に入れる。回収口４５にメダル４２を蹴り込むと、島設備１１の内部であって、回収口４５の近傍に設けられた回収検知センサ７２によってメダル４２が検知され、その検知信号が制御装置７１へと出力される。この検知信号を受けて、制御装置７１は、第１ＰＩ８１からの検知信号が出力されているか否かを判定し、第１ＰＩ８１からの検知信号が出力されている場合に、メダル送り出し装置５６を駆動させる。つまり、ドライバ７０を介して駆動モータ６８を駆動させる。これにより、ロータリーディスク６０が回転を開始する。
【００３４】
回収口４５に蹴り込まれたメダル４２は傾斜面１１ｃを移動した後、ロータリーディスク６０の上部へと移動する。このとき、ロータリーディスク６０が回転しているから、回転するロータリーディスク６０のメダル受け口６２にメダル４２が受け入れられる。そして、ロータリーディスク６０の受け入れ口６２に受け入れられたメダル４２は、遠心力により、メダル受け入れ口６２に連通する通路６３に沿って、ロータリーディスク６０の外周方向に移動する。そして、メダル受け入れ口６２に設けられた通路６３と導入口６５とが連通したときに、メダル４２が導入口６５から通路６６に向けて送り出される。
【００３５】
通路６６に送り出されたメダル４２は、通路６６の内部を移動した後、ケース８３の下端部に設けられた開口１２０から、その内部へ入り込む。図７に示すように、キャリア７５は、受容位置に保持されているから、開口１２０からケース８３の内部に入り込んだメダル４２はキャリア７５のメダル収納部８６に受容される。この通路６６の通過の際に、メダルは通過検知センサ７３によって検知されており、制御装置７１はメダル４２の検知信号が出力されてから基準時間経過してもメダル４２の検知信号が出力されない場合に、メダル揚送装置５７を駆動させる。つまり、制御装置７１はドライバ１０９を介して駆動モータ８０を駆動し、受容位置にあるキャリア７５を排出位置に向けて上昇させる。
【００３６】
図８に示すように、キャリア７５が排出位置まで上昇すると、第２ＰＩ８２によってインデックス９２が検知され、その検知信号が制御装置７１に出力される。これを受けて、制御装置７１は駆動モータ８０への給電を停止させる。これにより、キャリア７５が排出位置に保持される。同時に、制御装置７１はソレノイド１００への給電を停止する。押し出し板１０１にはバネ１０４により付勢されているから、ソレノイド１００への給電を停止すると、押し出し板１０１が図８中Ｇ方向に移動する。この押し出し板１０１の移動時に、メダル収納部８６に受容されたメダル４２がケース８３に設けられた排出口１２１を介して、通路１１１に向けて押し出される。通路１１１はノズル１１０の先端に向けて下り傾斜しているから、通路１１１の内部に押し出されたメダル４２は、ノズル１１０の内部に設けられた通路１１１を移動し、スロットマシン１２のメダル受け皿３５に払い出される。これにより、床面１０ａに落ちたメダル４２を回収口４５に蹴り込むだけで、容易にメダル４２をスロットマシン１２のメダル受け皿３５に回収することができる。
【００３７】
なお、ノズル１１０の通路１１１を移動するメダル４２は排出検知センサ１１２によって検知され、制御装置７１に出力される。この出力を受けてから所定時間（例えば５秒）経過しても再度出力を受けない場合には、制御装置７１は駆動モータ８０を駆動させ、キャリア７５を下降させる。そして、第１ＰＩ８１によってインデックス９２が検知されると、駆動モータ８０への給電を停止させ、キャリア７５を受容位置で停止させる。同時にソレノイド１００への給電を行う。これにより、押し出し板１０１が受入れ位置まで（図７中Ｆ方向に）移動する。
【００３８】
一方、回収検知センサ７２からの検知信号が制御装置７１に出力された場合に、第１ＰＩ８１からの検知信号が出力されていないと判定された場合には、キャリア７５が移動中あるいはキャリア７５のインデックスが第２ＰＩ８２によって検知されている場合であるから、この場合には、制御装置７１は駆動モータ６８の駆動を行わない。例えばキャリア７５が下降している場合には、所定時間後にキャリア７５のインデックス９２が第１ＰＩ８１によって検知されるから、この第１ＰＩ８１からの検知信号が出力された後に、メダル送り出し装置５６の駆動モータ６８を駆動させる。一方、キャリア７５が上昇している場合には、上述したメダル４２の押し出し動作、キャリア７５の受容位置までの下降動作を行った後に、メダル送り出し装置５６の駆動モータ６８を駆動させる。
【００３９】
本実施形態では、遊技場の島設備に搬送装置を組み込んだ実施形態としたが、これに限定する必要はなく、スロットマシンに組み込むことも可能である。この場合、図９に示すように、スロットマシン１２０を床面１２１に直に設置できるように、筐体１２２を一般に設置されているスロットマシンの高さ（つまり、本実施形態のスロットマシン１２の高さ）よりも高さ方向に延びた収納箱１２３から構成する。そして、筐体１２２の前面下部に設けられたパネル１２４の下端縁部に回収口１２５を設ける。そして、この収納箱１２３の下部に、搬送装置１２６を組み込む。なお、本実施形態に記載した搬送装置の構成であっても、他の構成からなる搬送装置であってもよい。この場合、回収口１２５から回収されたメダルは、搬送装置１２６によって上方に搬送された後、払い出し口１２７からメダル受け皿１２８に排出するようにすればよい。
【００４０】
本実施形態では、スロットマシンの例を取り上げたが、これに限定する必要はなく、例えばパチンコ球を使用して遊技を行うパチンコ機や、該パチンコ機が設置される島設備に、本発明を用いることができる。
【図面の簡単な説明】
【００４１】
【図１】遊技場の島設備の一例を示す斜視図である。
【図２】スロットマシン近傍の構成を示す斜視図である。
【図３】メダル送り出し装置の一例を示す斜視図である。
【図４】メダル揚送装置の一例を示す斜視図である。
【図５】キャリア近傍の構成を分解して示す斜視図である。
【図６】メダルを回収する際の搬送機構の動きを示すフローチャートである。
【図７】キャリアが受容位置にある場合を示す斜視図である。
【図８】キャリアが排出位置にある場合を示す斜視図である。
【図９】搬送装置を組み込んだスロットマシンの外観の一例を示す斜視図である。
【符号の説明】
【００４２】
１０  遊技場
１０ａ  床面
１１  島設備
１２  スロットマシン
３５  メダル受け皿
４２  メダル
４５  回収口
５５  搬送装置
５６  メダル送り出し装置（送り込み部）
５７  メダル揚送装置（揚送部）
【図１】
2007195672.tif 000003
【図２】
2007195672.tif 000004
【図３】
2007195672.tif 000005
【図４】
2007195672.tif 000006
【図５】
2007195672.tif 000007
【図６】
2007195672.tif 000008
【図７】
2007195672.tif 000009
【図８】
2007195672.tif 000010
【図９】
2007195672.tif 000011